(57)【要約】  【課題】  操作手段の操作に対する機能を任意に設定変更可能とし、通信手段等を設けずに簡単な構成で使用者にとって所望の機能を設定できるようにする。  【解決手段】  操作部２３の釦機能の設定変更を行う場合、車載機器２１では、記録媒体１２内の釦設定データを検出し、記録媒体１２から釦設定データ１３を読み込んで記憶部２５に記憶する。これにより、デフォルト釦設定モードからユーザ釦設定モードに変更可能とする。ユーザ釦設定モードの場合は、予め保持している釦設定データから記憶部２５に記憶したユーザ設定による釦設定データに置き換え、釦信号に対する動作機能を変更する。また、この釦機能の設定変更を表示部２４に表示してユーザに通知する。【選択図】  図１
2006013872.tif 000002
【特許請求の範囲】
【請求項１】
ユーザ設定による操作機能設定情報が記録された記録媒体にアクセスし、前記操作機能設定情報を取得する操作機能設定取得手段と、
前記操作機能設定情報を用いて、操作手段からの操作入力信号と装置の機能とを結び付けて、前記操作入力信号に対応する所定の機能を実行する操作入力処理手段と、
を備える電子装置。
【請求項２】
請求項１に記載の電子装置であって、
前記操作機能設定取得手段で取得した操作機能設定情報を記憶する記憶手段を備える電子装置。
【請求項３】
請求項２に記載の電子装置であって、
前記記憶手段に前記操作機能設定情報を記憶した場合に、既定の設定による第１の操作機能設定モードとユーザ設定による第２の操作機能設定モードとのうちのいずれか一方に切り替え可能とする操作機能設定切替手段を備える電子装置。
【請求項４】
請求項３に記載の電子装置であって、
前記操作機能設定情報の記憶状態、または前記操作機能設定モードの状態の少なくとも一方を告知する告知手段を備える電子装置。
【請求項５】
請求項１に記載の電子装置であって、
前記操作機能設定取得手段で取得した操作機能設定情報に既定の設定による操作機能設定情報から置き換える操作機能設定変更手段を備える電子装置。
【請求項６】
請求項５に記載の電子装置であって、
前記操作機能設定情報による操作機能の変更状態を告知する告知手段を備える電子装置。
【請求項７】
請求項１に記載の電子装置であって、
前記操作入力処理手段により実行する操作機能に関連する機能情報を告知する告知手段を備える電子装置。
【発明の詳細な説明】
【技術分野】
【０００１】
本発明は、車載機器、ラジオ、テレビ、オーディオ機器などの電子装置に関し、ユーザにより操作手段の操作機能変更が可能な電子装置に関する。
【背景技術】
【０００２】
従来、ラジオ、テレビ、オーディオなどのような電子装置を動作させる場合、操作釦などで電子装置の各機能を選択し、装置の動作等をユーザが指示する必要がある。従って、このような電子装置では、操作釦に予め所定の機能が定義されて登録されており、ユーザが操作釦を操作することによって目的の機能を動作させることが可能となっている。この種の電子装置においては、ユーザの好み、あるいは使用状況等によって、操作釦の機能を設定変更可能としたものも提案されている。例えば、車載機器などの電子装置の場合、車両運転中の運転手にとって、ユーザ毎に使い勝手の良い機能や配置を設定し、操作性の良い状態にすることが望まれる。
【０００３】
操作釦の登録機能を変更可能なものとして、例えば、特開平６−３５０７１３号公報（特許文献１）に開示された通信端末の登録釦機能制御装置がある。この装置では、交換機において、予め利用者個人にそれぞれ付与されたパーソナルコードに対応して、各利用者が定義した登録釦の機能についての登録釦データが格納されたコード対応登録釦データ部を設け、利用者がパーソナルコードを任意の通信端末にて登録したときに、加入者制御部は、コード対応登録釦データ部から該当のパーソナルコードに対応する登録釦データを抽出し、前記パーソナルコードが登録された通信端末の端末釦機能メモリに登録釦データを転送、設定する。これによって、いずれの通信端末でも利用者自己の定義に係る登録内容で登録釦の使用が可能となり、希望する釦を今までとは異なる機能に変更することができる。
【０００４】
【特許文献１】特開平６−３５０７１３号公報
【発明の開示】
【発明が解決しようとする課題】
【０００５】
上記従来例のような釦機能変更装置では、釦機能変更を行う通信端末を通信手段を利用して交換機に接続する必要がある。このため、通信手段を有する通信可能な電子装置においてのみ釦機能の変更が可能であり、通信不可能な電子装置においては釦機能を変更することが困難である。また、釦に対応する機能は予め交換機において登録されているものから選択して設定するようになっており、ユーザによって任意の機能を定義したり、任意の機能に柔軟に設定変更することはできない。
【０００６】
本発明は、上記事情に鑑みてなされたもので、操作手段の操作に対する機能を任意に設定変更可能であり、通信手段等を設けずに簡単な構成で使用者にとって所望の機能を設定することが可能な電子装置を提供することを目的とする。
【課題を解決するための手段】
【０００７】
本発明の電子装置は、ユーザ設定による操作機能設定情報が記録された記録媒体にアクセスし、前記操作機能設定情報を取得する操作機能設定取得手段と、前記操作機能設定情報を用いて、操作手段からの操作入力信号と装置の機能とを結び付けて、前記操作入力信号に対応する所定の機能を実行する操作入力処理手段と、を備えるものである。
これにより、記録媒体より取得した操作機能設定情報によって、操作手段の操作に対する機能を任意に設定変更可能であり、通信手段等を設けずに簡単な構成で使用者にとって所望の機能を設定することが可能となる。
【０００８】
また、本発明の一態様として、上記の電子装置であって、前記操作機能設定取得手段で取得した操作機能設定情報を記憶する記憶手段を備えるものとする。
これにより、ユーザ設定による操作機能設定情報を記憶し、操作機能の設定変更に利用することができる。
【０００９】
また、本発明の一態様として、上記の電子装置であって、前記記憶手段に前記操作機能設定情報を記憶した場合に、既定の設定による第１の操作機能設定モードとユーザ設定による第２の操作機能設定モードとのうちのいずれか一方に切り替え可能とする操作機能設定切替手段を備えるものとする。
これにより、ユーザ設定による操作機能設定情報を用いて、操作手段の操作に対する機能を既定の設定とユーザ設定とに切り替えることが可能となる。
【００１０】
また、本発明の一態様として、上記の電子装置であって、前記操作機能設定情報の記憶状態、または前記操作機能設定モードの状態の少なくとも一方を告知する告知手段を備えるものとする。
これにより、操作機能設定情報の記憶状態または操作機能設定モードの状態をユーザが容易に認識することが可能である。
【００１１】
また、本発明の一態様として、上記の電子装置であって、前記操作機能設定取得手段で取得した操作機能設定情報に既定の設定による操作機能設定情報から置き換える操作機能設定変更手段を備えるものとする。
これにより、ユーザ設定による操作機能設定情報を用いて既定の設定を置き換えて操作手段の操作に対する機能を変更することが可能となる。
【００１２】
また、本発明の一態様として、上記の電子装置であって、前記操作機能設定情報による操作機能の変更状態を告知する告知手段を備えるものとする。
これにより、ユーザ設定による操作機能の変更状態をユーザが容易に認識することが可能となる。
【００１３】
また、本発明の一態様として、上記の電子装置であって、前記操作入力処理手段により実行する操作機能に関連する機能情報を告知する告知手段を備えるものとする。
これにより、操作手段の操作に応じた機能の実行に際して、操作機能に関連する情報をユーザが容易に認識することが可能となる。
【発明の効果】
【００１４】
本発明によれば、操作手段の操作に対する機能を任意に設定変更可能であり、通信手段等を設けずに簡単な構成で使用者にとって所望の機能を設定することが可能な電子装置を提供できる。
【発明を実施するための最良の形態】
【００１５】
本実施形態では、電子装置の一例として、ラジオ、テレビ、オーディオ、カーナビゲーションなどの機能を持つ車載機器の構成例を示す。本実施形態は、車載機器に設けられる操作釦の機能を、パーソナルコンピュータ（ＰＣ）や専用機器などによる設定装置を用いてユーザが任意に設定変更可能とした構成である。
【００１６】
図１は本発明の実施形態に係る車載機器の構成を示すブロック図である。車載機器２１は、車両に搭載され、ラジオ、テレビ、オーディオ、カーナビゲーションなどの機能を実現するものである。車載機器２１は、記録媒体読み込み部２２、操作部２３、表示部２４、記憶部２５、制御部２６を有して構成され、記録媒体１２が着脱自在に装着可能となっている。記録媒体１２としては、ＣＤ、ＤＶＤ、メモリカード等の可般型記録媒体が用いられる。
【００１７】
記録媒体読み込み部２２は、データ入出力インターフェース等を備え、操作機能設定取得手段の機能を実現するもので、記録媒体１２にアクセスして後述する釦設定データを含む操作機能設定情報を読み込んで取得するものである。操作部２３は、操作手段の一例に相当するもので、操作釦等の入力デバイスを有して構成される。この操作部２３は、ユーザによる各種操作指示を入力し、ユーザの操作に応じて釦信号等の操作入力信号を制御部２６に送出する。表示部２４は、告知手段の一例に相当し、液晶表示装置、ＬＥＤ等により構成され、車載機器２１の動作状態等の各種情報を表示するものである。
【００１８】
記憶部２５は、メモリ等により構成され、前記取得した釦設定データ等を記憶する記憶手段の機能を実現するものである。制御部２６は、マイクロコンピュータ、プロセッサ等により構成され、車載機器２１の各部の制御を行うものである。この制御部２６は、操作部２３の釦設定に関する機能として、釦設定変更部２７と釦信号処理部２８とを有する。なお、制御部２６内に記憶部２５を備える構成としてもよい。
【００１９】
釦設定変更部２７は、操作機能設定変更手段及び操作機能設定切替手段の機能を実現するもので、記録媒体読み込み部２２を介して記録媒体１２から釦設定データを取得し、記憶部２５に釦設定データを記憶することで、釦設定モードをデフォルト釦設定モードからユーザ釦設定モードに変更可能にする。ここで、デフォルト釦設定モードは、予め設定された釦機能を実行する動作モード、ユーザ釦設定モードは、ユーザ設定に基づく釦機能を実行する動作モードである。また、釦設定変更部２７は、釦設定モードの状態を表示部２４に表示する。
【００２０】
釦信号処理部２８は、操作入力処理手段の機能を実現するもので、操作部２３からの釦信号を取り込み、釦設定モードに応じて釦設定データを参照して釦信号と該当する装置の機能との結び付けを行い、釦信号に対応する所定の機能を実行する。ユーザ釦設定モードでは、デフォルト釦設定モードでの所定の釦機能に対応する釦設定データを、ユーザ設定として読み込んで記憶された釦設定データに置き換えて、ユーザにより設定された機能を実行する。また、釦信号処理部２８は、実行する動作内容等を表示部２４に表示する。
【００２１】
図２は本発明の実施形態に係る設定装置の構成を示すブロック図である。設定装置１１は、パーソナルコンピュータ（ＰＣ）等から構成され、プロセッサ、メモリ、操作部、表示部等を有する情報処理装置である。設定装置１１は、記録媒体１２が着脱自在に装着可能となっており、車載機器２１が識別可能なフォーマットで釦設定データを記録媒体１２に記録する機能を有している。
【００２２】
記録媒体１２に記録される釦設定データ１３は、ヘッダ情報１４とデータ１５とを有して構成される。ヘッダ情報１４は、車載機器２１において釦設定データ１３であるかどうかを識別するための情報であり、データ１５は、釦機能の設定内容を示すキーマトリクス等の設定情報である。
【００２３】
ユーザによって釦機能の設定変更を行う場合は、設定装置１１により車載機器２１が識別可能なフォーマットで釦設定データ１３を記録媒体１２に記録する。このとき、ユーザは設定装置１１を操作することにより、所望の釦に対して所望の機能を設定する指示を行い、設定結果に対応する釦設定データ１３を所定のデータフォーマットで記録媒体１２に記録させる。そして、この釦設定データ１３を記録した記録媒体１２を車載機器２１に装着する。
【００２４】
車載機器２１では、装着された記録媒体１２内の釦設定データ１３を検出すると、記録媒体１２から釦設定データ１３を読み込んで記憶部２５に記憶する。これにより、デフォルト釦設定モードからユーザ釦設定モードに変更可能となる。ユーザ釦設定モードの場合は、予め保持している釦設定データから記憶部２５に記憶したユーザ設定による釦設定データ１３に置き換え、釦信号に対する動作機能を変更する。また、この釦機能の設定変更を表示部２４に表示してユーザに通知する。
【００２５】
次に、上記のように構成された車載機器２１において、制御部２６を中心とした釦機能変更時の動作を図３及び図４に基づいて説明する。
【００２６】
図３は釦機能変更のための釦設定データを取得する際の動作手順を示すフローチャートである。釦機能変更の際には、ユーザが設定済みの釦設定データ１３が記録された記録媒体１２を装着する。制御部２６の釦設定変更部２７は、釦設定データがあるかどうかを検出する（ステップＳ１１）。ここで、釦設定変更部２７は記録媒体読み込み部２２を介して記録媒体１２にアクセスし、ヘッダ情報１４を識別することによって釦設定データ１３を検出する。
【００２７】
ステップＳ１１で釦設定データ１３を検出した場合、釦設定変更部２７は釦設定モードをユーザ釦設定モードに切り替える。ここでは、ユーザ釦設定モードに変更されたかを判断し（ステップＳ１２）、ユーザ釦設定モードとなった場合は、続いて記録媒体読み込み部２２に釦設定データ１３を要求する（ステップＳ１３）。なお、釦設定データの検出によってユーザ釦設定モードに変更するだけでなく、ユーザの操作部２３の操作によってユーザ釦設定モードへ切り替えるようにしてもよい。
【００２８】
記録媒体読み込み部２２は、釦設定データの要求に対して記録媒体１２から釦設定データ１３を読み出して制御部２６に転送する。そして、釦設定変更部２７は記録媒体読み込み部２２から釦設定データ１３を受信し（ステップＳ１４）、記憶部２５に釦設定データ１３を記憶する（ステップＳ１５）。このように釦設定データ１３を記憶部２５に保存して利用可能とすることにより、デフォルト釦設定モードとユーザ釦設定モードとの切り替えを可能にする（ステップＳ１６）。また、ユーザ設定による釦設定データを取り込んだこと、釦設定データを更新したことなどの釦設定状態を表示部２４に表示し、ユーザに通知する（ステップＳ１７）。なお、ユーザ設定による釦設定データ１３を読み込んで保存した場合は、釦設定モードをユーザ釦設定モードに変更するようにしてもよい。
【００２９】
一方、ステップＳ１１で釦設定データ１３を検出しなかった場合、あるいはステップＳ１２でユーザ釦設定モードに変更されなかった場合は、そのまま処理を終了する。
【００３０】
図４は操作部から釦操作による釦信号を受信した場合の動作手順を示すフローチャートである。ユーザが操作部２３の操作釦を押下すると、押下操作された釦に対応する釦信号が制御部２６へ出力される。制御部２６の釦信号処理部２８は、釦信号を受信したかを判定し（ステップＳ２１）、釦信号を受信した場合は続いて釦設定モードがユーザ釦設定モードか否かを判断する（ステップＳ２２）。ユーザ釦設定モードには、モード変更可能時のユーザ操作により、あるいは釦設定データの保存判定によって釦設定モードが切り替えられる。
【００３１】
ステップＳ２２において釦設定モードがユーザ釦設定モードの場合は、釦信号処理部２８は記憶部２５に記憶してあるユーザ設定による釦設定データ１３を用いて釦設定データを置き換え、この釦設定データ１３によって釦信号に対する機能の割り付けを行う（ステップＳ２３）。一方、ステップＳ２２において釦設定モードがデフォルト釦設定モードの場合は、予め保持している既定のデフォルト釦設定データをそのまま用いて釦信号に対する機能の割り付けを行う（ステップＳ２４）。
【００３２】
そして、釦信号処理部２８は釦設定データにより割り付けられた釦信号に対する該当機能の実行を行う（ステップＳ２５）。また、実行中の動作機能の機能名など、釦操作の動作に関連する情報を表示部２４に表示し、ユーザに通知する（ステップＳ２６）。なお、ユーザ釦設定モードの場合は、釦操作に対応する機能がユーザ設定による釦機能である旨を表示するようにしてもよい。
【００３３】
なお、上述した実施形態では、記録媒体１２から釦設定データ１３を読み出して記憶部２５に記憶するようにしているが、記録媒体１２に記録された釦設定データ１３をそのまま利用し、制御部２６は記録媒体１２の釦設定データ１３に基づいて操作部２３からの釦信号に対応する動作を行うことで、ユーザ設定による任意の釦機能を実行することも可能である。また、一つの操作釦に対して釦信号及び機能が一対一に対応するものに限らず、通常の押下操作、長押し操作、ダブルクリック操作など操作の種類に応じて一つの操作釦に複数の機能を設定することも可能である。また、操作釦の数は単数、複数いずれでもよい。
【００３４】
このように、本実施形態によれば、設定装置においてユーザにより任意の機能を設定した釦設定データを記録媒体に記録し、車載機器において記録媒体から釦設定データを読み込んで取得することにより、操作部の操作釦に対する機能を任意に設定変更することができる。この場合、設定変更データ等のやり取りのために通信手段を必要とせず、簡単な構成で使用者にとって所望の機能を設定することが可能である。
【００３５】
釦機能の設定においては、予め設定された機能に限らず、任意の機能を設定することができる。また、釦の数に依存することなく、任意の数の機能を実装することができる。これらにより、ユーザ設定の選択範囲を増やすことができる。
【００３６】
なお、本実施形態では釦機能の設定として説明しているが、操作手段は釦のみに限らず、ジョグダイアル、ジョイスティック、タッチパネルなど、他の操作手段に適用して同様の効果を得ることも可能である。
【産業上の利用可能性】
【００３７】
本発明は、操作手段の操作に対する機能を任意に設定変更可能であり、通信手段等を設けずに簡単な構成で使用者にとって所望の機能を設定することができるという効果を有し、ユーザにより操作機能変更が可能な車載機器、ラジオ、テレビ、オーディオ機器などの電子装置等に有用である。
【図面の簡単な説明】
【００３８】
【図１】本発明の実施形態に係る車載機器の構成を示すブロック図
【図２】本発明の実施形態に係る設定装置の構成を示すブロック図
【図３】本実施形態における釦機能変更のための釦設定データを取得する際の動作手順を示すフローチャート
【図４】本実施形態における操作部から釦操作による釦信号を受信した場合の動作手順を示すフローチャート
【符号の説明】
【００３９】
１１  設定装置
１２  記録媒体
１３  釦設定データ
１４  ヘッダ情報
１５  データ
２１  車載機器
２２  記録媒体読み込み部
２３  操作部
２４  表示部
２５  記憶部
２６  制御部
２７  釦設定変更部
２８  釦信号処理部
【図１】
2006013872.tif 000003
【図２】
2006013872.tif 000004
【図３】
2006013872.tif 000005
【図４】
2006013872.tif 000006